(57)【要約】      （修正有）【課題】家畜類の排泄物を改善し環境衛生を向上させると共に、家畜類の食欲を増進させる。【解決手段】飼料補助材は、多孔性資材である焼成ゼオライトと、果物搾汁粕発酵物と、米糠熱水抽出液と、木炭粉末と、乳酸菌水と、果汁と、を含み、これ等が混合して形成される。そして、この飼料補助材は、家畜類の飼料に適当な割合で配合され、家畜類に給餌され使用される。【選択図】  なし【特許請求の範囲】
【請求項１】
焼成ゼオライトと、果物搾汁粕発酵物と、米糠熱水抽出液と、木炭粉末と、乳酸菌水と、果汁と、を含むことを特徴とする飼料補助材。
【請求項２】
前記焼成ゼオライトの含有量が７５〜８５重量％の範囲であり、前記果物搾汁粕発酵物の含有量が１〜５重量％の範囲であり、前記米糠熱水抽出液の含有量が５重量％以上であることを特徴とする請求項１に記載の飼料補助材。
【発明の詳細な説明】
【技術分野】
【０００１】
本発明は、飼料を摂取した家畜類からの排泄物を改善し環境衛生を向上させると共に、家畜類の食欲の増進を容易にする飼料補助材に関する。
【背景技術】
【０００２】
これまで、牛、豚、鶏等の家畜類の飼料に添加して使用される飼料改善材が種々に開発され、その一部は実用に供されている。例えば、食肉、牛乳、卵等の畜産物の味質の高品質化、あるいは、飼料の鮮度維持等を容易にするために、飼料に例えばビタミン、ミネラル等の栄養要素の不足分を補ったり、飼料を摂取する家畜類の生理作用を活性化することを目的とした飼育改善材が提案されている（例えば、特許文献１，２参照）。また、この家畜類の消化器系の機能を増進させ、上質の肉あるいは卵を産出できるようにすることを目的とした飼料添加剤が提案されている（例えば、特許文献３参照）
【特許文献１】特開２００５−３４１８２８号公報
【特許文献２】特開２００４−６５１４４号公報
【特許文献３】特開２０００−３１６４８６号公報
【発明の開示】
【発明が解決しようとする課題】
【０００３】
ところで、牛、豚、鶏等を対象とした畜産業におけるこれ等の畜類の飼育にあっては、多数の家畜類が収容される畜舎内の環境衛生が、家畜類の健康あるいは体調を整える上で、又それ等の食欲の増進維持を図る上で極めて重要になる。家畜類が畜舎内で排泄する糞および尿等は臭気を放ち、その排泄物にハエや種々の雑菌類が群がってくる。そして、これ等の排泄物を放置しておくと、それに群がるハエ、雑菌類等により、家畜類は、例えば病原菌等の感染を受けて体調を悪くし食欲を失ったり、病気に罹ったりする。
【０００４】
そこで、家畜類に対する飼料の給餌方法を改良することにより、上記排泄物の例えば臭気を低減し環境衛生を向上させると共に、家畜類の食欲を増進させて高品質の畜産物を生産する工夫が重要になってくる。このような方法であると、環境衛生を維持するための家畜類の排泄物を除去し畜舎を清掃する日常作業の頻度を減少させることもでき、畜産における経済性が向上するようになる。
【０００５】
しかしながら、上述したような従来の家畜類の飼料に加える飼料改善材あるいは飼料添加剤には、飼料を摂取した家畜が排泄する糞あるいは尿を改善するという視点のものは見当たらない。
【０００６】
本発明は、上述の事情に鑑みてなされたもので、飼料を摂取した家畜類からの排泄物を改善し環境衛生を向上させると共に、家畜類の食欲の増進を容易にする飼料補助材を提供することを目的とする。
【課題を解決するための手段】
【０００７】
本発明者は、これまで有機肥料の土壌改造剤について種々の検討を行ってきた。そして、家畜類の摂取する飼料に後述するような飼料補助材を配合し、抗酸化作用のある米糠成分、および糖類を吸着材に吸着保持して排泄物に残存させることにより、例えば臭気の減少等、排泄物が改善されると共にその堆肥化に好適な排泄物が得られることを見出した。本発明は、この新知見に基づいてなされたものである。
【０００８】
上記目的を達成するために、発明にかかる飼料補助材は、焼成ゼオライトと、果物搾汁粕発酵物と、米糠熱水抽出液と、木炭粉末と、乳酸菌水と、果汁と、を含む構成になっている。そして、この飼料補助材が家畜類の飼料に配合させる。
【０００９】
そして、上記発明の好適な一態様では、発明にかかる飼料補助材は、前記焼成ゼオライトの含有量が７５〜８５重量％の範囲であり、前記果物搾汁粕発酵物の含有量が１〜５重量％の範囲であり、前記米糠熱水抽出液の含有量が５重量％以上である、構成になっている。
【発明の効果】
【００１０】
本発明の構成により、飼料を摂取した家畜類からの排泄物が改善され、その環境衛生が向上すると共に、家畜類の食欲の増進がはかれる。また、その排泄物から高品質の堆肥が容易に製造できるようになる。
【発明を実施するための最良の形態】
【００１１】
以下、本発明の一実施形態にかかる飼料補助材について説明する。
【００１２】
本実施形態の飼料補助材は、多孔性資材である焼成ゼオライトと、果物搾汁粕発酵物と、米糠熱水抽出液と、木炭粉末と、乳酸菌水と、果汁と、を含み、これ等が混合して形成されるものである。そして、この飼料補助材は、家畜類の飼料に適当な割合で配合される。
【００１３】
焼成ゼオライトは、多孔性を有しており、（Ａｌ、Ｓｉ）Ｏ４四面体が頂点の酸素を共有して三次元網目構造の中に色々な形状、大きさの空洞あるいはチャネルを形成している。この焼成ゼオライトは、上記空洞あるいはチャネルのような内部構造中に、果物搾汁粕発酵物および米糠熱水抽出液の一部を含浸させ保持する。そして、家畜類が飼料と共にこの飼料補助材を摂取しても、焼成ゼオライトは家畜類の体内でほとんど消化吸収されることがない。このために、後述するようにその内部構造中に保持されている上記類搾汁粕発酵物および米糠熱水抽出液の一部は消化吸収されることなく体外に排出物と共に排便される。
【００１４】
ここで、好適に使用できる焼成ゼオライトとしては、例えば方沸石、濁沸石、モルデン沸石、束沸石等が挙げられる。
【００１５】
果物搾汁粕発酵物は、果物を絞った後に残る粕を例えば粉粒状に裁断したものの発酵物が好適である。ここで、使用できる果物としては、例えば、ぶどう類、リンゴ、ナシ、カキ、パイナップル、もも等の果物をあげることができる。この中でも、特にぶどう類が好適である。この果物搾汁粕発酵物の一部は、上述した多孔性の焼成ゼオライトの内部に取り込まれ畜類の体外に糞あるいは尿として排泄された後に、それ等の排泄物を用いた堆肥の製造において有効に働く。すなわち、果物搾汁粕発酵物の糖類が、排泄物中で生育活動する例えば好気性菌等の微生物を助け、後述する高品質の堆肥化を可能にする。
【００１６】
米糠熱水抽出液としては、米糠の沸騰汁、あるいは米糠を９５〜１００℃の熱水に混和したものを例えば８０℃以下に冷却した後に、綿製の濾布により残渣を濾別して得られる抽出液が好ましい。あるいは、上記米糠の沸騰汁、あるいは米糠を９５〜１００℃の熱水に混和したものを、濾過しないでそのまま冷却させて用いてもよい。
【００１７】
この米糠熱水抽出液は、家畜類の給餌における飼料の酸化防止するために、家畜類の飲水量を減少させる働きを有すると共に、その一部が、上述したように多孔性の焼成ゼオライトの内部に取り込まれ畜類の体外に糞あるいは尿として排泄された後に、それ等の排泄物の酸化に伴う臭気を低減させるように働く。また、米糠熱水抽出液は、ビタミン、ミネラル等の成分を多く含み、家畜類の不足栄養素を補充し食欲を増進する働きも有する。
【００１８】
木炭粉末は、木材を例えば無煙炭化して得られる炭素を主成分とするもの、あるいは上記炭化した後に更に賦活化した活性炭である。このような木炭粉末は粘結性がないので、飼料補助材の上記混合を良好にし、サラサラした製品にする。ここで、粉末の粒度は６５メッシュ程度が好ましい。そして、木炭粉末は脱臭効果を有し畜類の排泄物の臭気を更に低減させる。
【００１９】
乳酸菌水は、飼料を摂取する家畜類の消化器系の生理作用を活性化し、それ等の健康を増進あるいは維持する。
【００２０】
そして、果汁は、ビタミンあるいは糖類の家畜類への補充になると共に、家畜類の食欲を増進させる働きを有する。ここで、果汁は、上記果物搾汁粕発酵物を得るために使用した果物の搾汁でよい。なお、上記果物搾汁粕に使用した果物と、果汁の果物は異なるものであっても構わない。
【００２１】
上記飼料補助材において、好適な一態様では、焼成ゼオライトの含有量が７５〜８５重量％の範囲であり、果物搾汁粕発酵物の含有量が１〜５重量％の範囲であり、米糠熱水抽出液の含有量が５重量％以上になるようにする。ここで、焼成ゼオライトの含有量を７５〜８５重量％の範囲にしたのは、７５重量％未満では量が少なすぎて果物搾汁粕発酵物および米糠熱水抽出液の吸着量が充分でなく、満足な上記効果が得られない。また、８５％を超えては特に米糠熱水抽出液の吸着量が多くなり、給餌における飼料の酸化防止の働きが低下する。
【００２２】
また、果物搾汁粕醗酵物の混合割合を１〜５重量％としたのは、１重量未満では少な過ぎ効果を奏せず、５％を超えては上記微生物の生育活動が活発になり堆肥の有機物の分解効果が速すぎて、俗にいう肥料切れの状態になり易いからである。また、１〜５重量％としたことによって、微生物の増殖速度のバランスがとれて、どのような作物においても効果を奏し、かつ経済的であるからである。
【００２３】
米糠熱水抽出液の含有量を５重量％以上になるようにしたのは、５％未満では量が少なすぎて、上述した飼料の酸化防止あるいは排泄物の臭気防止が働かないからである。
【００２４】
そして、飼料補助材における上述した焼成ゼオライト、果物搾汁粕発酵物および米糠熱水抽出液を除く残部が、木炭粉末、乳酸菌水、果汁を含むことになる。ここで、木炭粉末の含有量は、飼料補助材の湿潤性を抑えてサラサラ感を保持すると共に家畜類のエサ食いを低下させない上から、可能であれば０．５〜１．５重量％の範囲にするとよい。また、乳酸菌水および果汁の含有量は、家畜類に合わせて適度に調整すればよい。
【００２５】
本実施形態の飼料補助材は、例えば畜舎内の牛、豚、鶏等の家畜類の飼料１０ｋｇに対して、３００〜５００ｇ程度の割合で配合され添加される。そして、この飼料補助材を混合した飼料は家畜類により摂取された後、その畜類からの排泄物は集められて堆肥が製造される。この排泄部の堆肥化において、焼成ゼオライトの内部構造に含浸され吸着されている果物搾汁粕発酵物が高温微生物を生育する。そして、この高温微生物が堆肥を腐らせるアンモニアを除去する。更に、ハエや幼虫が成長する養分を上記微生物が分解する。また、焼成ゼオライトの内部構造に含浸され吸着されている米糠熱水抽出液が堆肥の酸化を防止し、木炭粉末と共に臭気を低減させる。このようにして、堆肥化発酵温度が高温になり、生育阻害物質が分解し、安全性と肥料効果の高い良質の堆肥が製造される。
【実施例】
【００２６】
次に、実施例により本発明を具体的に説明する。なお、本発明はこれらの実施例のみに限定されるものでない。
【００２７】
飼料補助材は、表１に示すように、方彿石からなる焼成ゼオライトを８１重量％、果物搾汁粕発酵物を４重量％、活性炭粉末を０．９重量％、無煙炭粉末０．１重量％、乳酸菌水および果汁を攪拌機に入れて攪拌した。そして、攪拌を続けながら米糠熱水抽出液を少しずつ加え最終的に１０重量％混合した。その後、２５分間程度攪拌を行って、全体が炭黒色の湿潤性が低くサラサラした飼料補助材を作製した。
【００２８】
【表１】
2008054505.tif 000002
【００２９】
この飼料補助材を畜舎の牛の飼料に混ぜ１週間与え続けた。牛は、飼料補助材による飼料の酸化防止のために、必要以上に飲水しなくなり、畜舎内の尿による湿り度合いが大きく低減した。そして、牛の体の汚れが目に見えて付かなくなった。また、畜舎内の臭気、ハエの量が大きく減少し、牛の色艶がよくエサ食いがよく食欲が大きく増進すると共に牛のむれ肉が減少した。
【００３０】
上述したように本実施形態では、飼料補助材を家畜類の飼料に配合し添加することにより、家畜類の排泄物が大きく改善され、特に多数の家畜類を飼育する畜舎で環境衛生が向上する。そして、家畜類の食欲が増進し、体重増加が従来の場合に較べて速くなる。また、この飼育補助材により、家畜類の排泄物から高品質の堆肥化が容易に製造できるようになる。また、この飼育補助材は、簡便で低コストに製造でき、好気性菌等の微生物のバランスのよい生育を促す働きを有し、上記排泄物から製造した堆肥をいわゆる有機農法に好適に使用できるようにする。
なお、上記実施形態で、ぶどう果汁に代えて、パイナップル果汁を用いてもよい。
【００３１】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。